(57)【特許請求の範囲】
【請求項１】
ケースに対して倒伏位置から起立位置まで起倒自在に設けられた防水扉と、
前記防水扉側に設けられた第１回転軸と、
前記ケース側に設けられた第２回転軸と、
前記第１回転軸及び前記第２回転軸をつなぐリンク
を備えており、
前記防水扉は、前記第１回転軸の周りで所定回転角度だけ回転すると前記リンクに接触し、前記第１回転軸の周りでの所定回転角度を超える回転を規制する回転規制部を含んでおり、
前記回転規制部は、前記防水扉とは別体の突体であり、前記防水扉に固定されており、前記第１回転軸の周りで前記所定回転角度だけ回転した場合の前記リンクに向かって、前記防水扉の起立時の後方へ突出する状態で固定されている
ことを特徴とする防水扉装置。
【請求項２】
前記防水扉の起立角度が前記倒伏位置から前記所定回転角度までの範囲である場合に、前記防水扉が前記第１回転軸の周りで回転され、
前記防水扉の起立角度が前記所定回転角度から前記起立位置までの範囲である場合に、前記防水扉が前記第２回転軸の周りで回転される
ことを特徴とする請求項１に記載の防水扉装置。
【請求項３】
前記リンクが側面視Ｌ字状である
ことを特徴とする請求項１又は請求項２に記載の防水扉装置。
【発明の詳細な説明】
【技術分野】
【０００１】
本発明は、建物や駐車場の出入口等に設置され、水害時における浸水を防止する防水扉装置に関する。
【背景技術】
【０００２】
ケースに入った倒伏状態から止水のための起立状態へ起倒可能な防水扉を有する防水扉装置において、ケースと防水扉に介装されるヒンジ機構として、下記特許文献１，２に記載されたものが知られている。これらのヒンジ機構では、ガイド溝を有する第１のベースと、ガイド溝に入る突起を有する第２のベースと、これらのベースを相対回転可能に連結するリンクが設けられている（特許文献１の図２，３，６や特許文献２の図４，５等）。防水扉の起立操作時、ヒンジ機構の突起がガイド溝に沿って移動することにより、防水扉の回転中心が起立角度に応じて移動し、これにより、防水扉は、ケースや起立時に接触する扉枠への干渉が防止された状態で、又起立完了直前に全体が扉枠へ近づくような押付け動作が行われる状態で起立される。
【先行技術文献】
【特許文献】
【０００３】
【特許文献１】特開平１０−２３８２４０号公報
【特許文献２】特開２００７−３０８９３６号公報
【発明の概要】
【発明が解決しようとする課題】
【０００４】
しかし、このようなヒンジ機構では、防水扉側及びケース側のベース同士がリンクを介して連結された複リンク式となっているため、部品点数が多く高コストとなる。又、防水扉の回転中心を移動させるためのガイド溝やリンク等の設計が難しい。よって、防水扉やケース等の仕様変更が煩わしい。又、防水扉装置では一般に重い防水扉を上方に付勢することで起立操作を補助する起立補助機構が併設されるところ、起立補助機構の付勢力の変化と同調させるような設計も困難である。
【０００５】
そこで、請求項１に記載の発明は、構造がシンプルで低コストでありながら、押付け動作等の防水扉の適切な動作を可能とし、更に仕様変更や起立補助機構との同調が容易であるヒンジ機構を有する防水扉装置を提供することを目的としたものである。
【課題を解決するための手段】
【０００６】
上記目的を達成するために、請求項１に記載の発明は、ケースに対して倒伏位置から起立位置まで起倒自在に設けられた防水扉と、前記防水扉側に設けられた第１回転軸と、前記ケース側に設けられた第２回転軸と、前記第１回転軸及び前記第２回転軸をつなぐリンクを備えており、前記防水扉は、前記第１回転軸の周りで所定回転角度だけ回転すると前記リンクに接触し、前記第１回転軸の周りでの所定回転角度を超える回転を規制する回転規制部を含んでおり、前記回転規制部は、前記防水扉とは別体の突体であり、前記防水扉に固定されており、前記第１回転軸の周りで前記所定回転角度だけ回転した場合の前記リンクに向かって、前記防水扉の起立時の後方へ突出する状態で固定されていることを特徴とするものである。
【０００７】
請求項２，３に記載の発明は、上記目的に加えて、より一層低コストとしながら適切な動作を可能とし、しかも設計を更に容易にする目的を達成するため、上記発明において、前記防水扉の起立角度が前記倒伏位置から前記所定回転角度までの範囲である場合に、前記防水扉が前記第１回転軸の周りで回転され、前記防水扉の起立角度が前記所定回転角度から前記起立位置までの範囲である場合に、前記防水扉が前記第２回転軸の周りで回転されるようにしたり、前記リンクが側面視Ｌ字状であるようにしたりすることを特徴とするものである。
【発明の効果】
【０００８】
本発明によれば、第１回転軸及び第２回転軸をつなぐリンクが設けられ、第１回転軸の周りで所定回転角度だけ回転すると第１回転軸の周りでの所定回転角度を超える回転を規制する回転規制部が含まれ、回転規制部は防水扉とは別体の突体であって防水扉に固定されており所定回転角度だけ回転した場合のリンクに向かって防水扉の起立時の後方へ突出する状態で固定されている。従って、構造がシンプルで低コストでありながら、押付け動作等の防水扉の適切な動作を可能とし、更に仕様変更や開閉機構の起立補助機構との同調が容易である防水扉装置を提供することができる、という効果を奏する。
【図面の簡単な説明】
【０００９】
【図１】本発明の防水扉装置の、倒伏状態での平面図である。
【図２】（ａ）は図１のＸ−Ｘ線断面図であり、（ｂ）は起立状態での図２（ａ）相当図である。
【図３】図２（ａ）のＹ−Ｙ線断面図である。
【図４】図３のＺ−Ｚ線断面図である。
【図５】（ａ）は倒伏状態での図２（ａ）の簡略化図であり、（ｂ）は起立途中の（ａ）相当図であり、（ｃ）は起立状態の（ａ）相当図である。
【発明を実施するための形態】
【００１０】
以下、本発明の実施形態の例について、適宜図面に基づいて説明する。なお、本発明の実施形態は以下の例に限定されない。
【００１１】
図１は本発明に係る防水扉装置１において、防水扉２が倒伏位置にある状態（倒伏状態）での平面図であり、図２（ａ）は図１のＸ−Ｘ線断面図であり、図２（ｂ）は防水扉２が起立位置にある状態（起立状態）となった図２（ａ）相当図であり、図３は図２（ａ）のＹ−Ｙ線断面図である。
【００１２】
防水扉装置１は、倒伏状態から起立状態まで起倒可能な１枚の防水扉２と、倒伏状態の防水扉２を収納するケース４を有する。なお、防水扉２の左右長さや止水高さは任意に変更可能である。又、防水扉２の枚数も任意に変更可能であり、複数の防水扉は、単に左右方向に並べた直線状に配置したり、Ｌ字状やコ字状等の他形状に配置したり、一部の寸法を他と異ならせたりすることが可能である。
【００１３】
ケース４は、浸水の可能性がある浸水予想路の路面に設置される。浸水予想路の路面の例として、建物あるいは駐車場等の出入口の床面を挙げることができる。防水扉装置１において、前後は起立状態の防水扉２の表側（図１の上，図２の右）を前とする。又左右は前を向いて見たものとする。なお、ケース４は、防水扉２の配置に合わせたものとすることができる。
【００１４】
ケース４の上部開口は、倒伏状態の防水扉２によって閉鎖される。即ち、防水扉２の倒伏位置は、ケース４の上部開口に沿って当該開口を閉鎖する位置である。ここでは、防水扉２が水平となる位置としているが、浸水予想路面に合わせる等のために傾斜面としても良い。一方、防水扉２の起立位置は、防水の際に固定される位置であり、倒伏位置から起立した任意の位置とすることができるが、一般には止水高さをなるべく確保するために鉛直となる位置であり、本形態でもそうなっている。又、ケース４の前側には、起立状態の防水扉２の左右辺表側にそれぞれ接する支柱６を両側に有する扉枠８が設置されている。各支柱６の裏側には、弾性体９が貼られている。起立状態の防水扉２は、表側両側辺が各弾性体９に接する状態となり、双方の支柱６の間を、水密状態に塞ぎ、表側（前側）からの浸水を防ぐ。
【００１５】
更に、ケース４の内底面前部と、倒伏状態の防水扉２の裏側前部（起立状態では裏側下部）に対し、ヒンジ機構１０が接続されている。又、ケース４の内底面中央部と、倒伏状態の防水扉２の裏側中央部に、突っ張りアーム１２が接続されている。ヒンジ機構１０や突っ張りアーム１２は、ここでは左右２箇所に設置されているが、１箇所あるいは３箇所以上に設置して良いし、ヒンジ機構１０と突っ張りアーム１２で数を変えても良い。
【００１６】
加えて、ケース４の内底面前部と、倒伏状態の防水扉２の裏側後部に、起立補助機構２０が接続されている。起立補助機構２０は、ここでは３つの付勢部材としてのダンパー２１Ａ〜２１Ｃと、これらにそれぞれ回転可能に接続されるアーム２２Ａ〜２２Ｃを含む。アーム２２Ｂ，２２Ｃは同等の長さとされており、アーム２２Ａより短くされている。又、倒伏時及び起立時において、ダンパー２１Ａ，２１Ｂは同等の長さとなっており、ダンパー２１Ｃより短くなっている。アーム２２Ａ〜２２Ｃは、共通のヒンジ２４を介して、ケース４に対し回転可能に取付けられている。一方、ダンパー２１Ａ〜２１Ｃにおけるアーム２２Ａ〜２２Ｃと逆側の端部は、防水扉２の裏面に対し、それぞれ回転可能に取付けられている。ここで、ダンパー２１Ａ，２１Ｃの防水扉２裏面に対する取付位置が、起立時に同等の高さとなるように配置されており、ダンパー２１Ｂの取付位置より上方に配置されている。なお、付勢部材として、エアダンパー、オイルダンパー、ねじりコイルバネ、あるいはこれらの組合せ等を採用することができるし、付勢部材の数を２つ以下あるいは４つ以上とすることができる。
【００１７】
なお、アーム２２Ｂ，２２Ｃの長さも異なるものとしたり、ダンパー２１Ａ，２１Ｂの長さも異なるものとしたりする等、各種部材の長さや長短の関係を適宜変更することができる。又、ダンパー２１Ａ等の長さは変えずアーム２２Ａ等の長さのみ変えたり、アーム２２Ａ等の長さは変えずダンパー２１Ａ等の長さのみ変えたりすることができる。更に、ヒンジ２４を個別に設けたうえで、アーム２２Ａ〜２２Ｃのケース４内底面に対する取付位置を前後させても良いし、ダンパー２１Ａ等の防水扉２における取付位置を適宜変更しても良い。
【００１８】
図４は図３のＺ−Ｚ線断面図であり、一方のヒンジ機構１０の側面図を示す。なお、他方のヒンジ機構１０も、当該一方のヒンジ機構１０と同様に構成される。
【００１９】
ヒンジ機構１０は、左右方向に沿う第１回転軸６０を回転可能に支持する第１ベース６２と、左右方向に沿う第２回転軸６４を回転可能に支持する第２ベース６６と、先端（上端）が第１回転軸６０に接続されると共に基端（下端）が第２回転軸６４に接続された側面視Ｌ字状のリンク６８を有する。第１ベース６２は、防水扉２の裏面下部に固定されており、第２ベース６６は、ケース４の内底面前部に固定されている。ヒンジ機構１０は、リンク６８の他にリンクの無い単リンクである。
【００２０】
防水扉２の下部には、回転規制部としての突板７０が、起立時の後方（倒伏時の下方）へ突出する状態で固定されている。突板７０における防水扉２の裏面からの突出高さは、防水扉２が、第１回転軸６０の周りで、倒伏状態から第１所定回転角度（例えば７０度）だけ起立した状態において、リンク６８の前側と接触するようなものとされている。倒伏状態から第１所定回転角度だけ起立した状態は、防水扉２がリンク６８先端側と垂直な状態から防水扉２下部がリンク６８に近づく方向へ第１所定回転角度だけ回転した状態ともいえる。リンク６８は、倒伏状態（から第１所定回転角度だけ回転した状態まで）において、先端側が鉛直で、基端側が水平である姿勢をとる。
【００２１】
なお、接触時に互いに一体となるようロックするロック機構を突板７０（回転規制部）とリンク６８の間に設けても良い。又、このロック機構につき、起立角度が第１所定回転角度以下となるよう倒伏する際にアンロックされるものとすることができる。更に、防水扉２側に代えてリンク６８側に突体等の回転規制部を設けても良い。加えて、防水扉２及びリンク６８に回転規制部を設け、互いの回転規制部等が接触することで回転を規制するようにしても良い。
【００２２】
かようなヒンジ機構１０を有する防水扉装置１は、図５に示すように起立する。
【００２３】
即ち、図５（ａ）に示すような倒伏状態の防水扉２について起立し始めると、防水扉２は、自身に近い第１回転軸６０の周りで回転し始める。このような第１回転軸６０周りの回転（第１の回転）は、防水扉２が第１所定回転角度だけ回転して起立角度が第１所定回転角度となるまで行われる。なお、起立操作中、起立補助機構２０の及ぼす付勢力により、防水扉２の重量が支えられ、起立操作力の補助がなされる。
【００２４】
そして、図５（ｂ）に示すように、防水扉２の起立角度が第１所定回転角度に達すると、防水扉２下部の突板７０が前側からリンク６８の先端側に接触し、防水扉２の第１の回転が規制され、防水扉２がこれ以上第１の回転をしなくなる。この状態から更に起立操作をして防水扉２の上側に起立方向への力を加えると、防水扉２がリンク６８と共に第２回転軸６４周りで回転する（第２の回転）。
【００２５】
なお、防水扉２の起立角度が第１所定回転角度あるいはその隣接角度（例えば前後５度ずつの範囲内の何れかの角度）となる場合に、起立補助機構２０により防水扉２が停止するように構成することができる。即ち、既にダンパー２１Ａが最大長となりアーム２２Ａが浮いている状態で、第１所定回転角度あるいはその隣接角度（停止角度）となると、ダンパー２１Ｂも最大長となりアーム２２Ｂも浮き始めるようにし、停止角度以上に起立させるとダンパー２１Ｃのみ付勢力を及ぼすようにする。防水扉２の重量（当該起立角度における重力の分力）・ダンパー２１Ｂ，２１Ｃの最大長や付勢力・アーム２２Ｂ，２２Ｃの長さ・ダンパー２１Ｂ，２１Ｃの防水扉２に対する取付位置等を調整し、停止角度において付勢力が切り替わりバランスするような関係とすれば、防水扉２を停止角度において一旦停止させることが可能である。
【００２６】
第２の回転は、第１所定回転角度から第２所定回転角度（起立状態となる角度，起立位置での角度，ここでは９０度）まで継続し、これにより、図５（ｃ）に示すように、防水扉２が起立状態となる。
【００２７】
第１の回転は、防水扉２側の第１回転軸６０の周りで行われるため、ケース４や支柱６に対する干渉を防止した状態で行われる。一方、第２の回転は、防水扉２下方のケース４側の第２回転軸６４の周りで行われるため、防水扉２全体が支柱６に近づくような回転となり、起立終盤に全体として支柱６に押付けられるような動作が実現され、全体として密着性に優れる状態で防水扉２を起立させ、水密性の高い状態で起立させることが可能である。
【００２８】
一方、倒伏操作による起立状態から倒伏状態への移行は、起立操作の場合と逆に行われる。即ち、起立位置（第２所定回転角度）から第１所定回転角度までにおいて第２の回転がなされ、第１所定回転角度から倒伏位置（起立角度０度）までにおいて第１の回転がなされる。又、第２所定回転角度付近の停止角度において、防水扉２が一旦停止される。
【００２９】
本発明に係る防水扉装置１は、ケース４に対して倒伏位置から起立位置まで起倒自在に設けられた防水扉２と、防水扉２側に設けられた第１回転軸６０と、ケース４側に設けられた第２回転軸６４と、第１回転軸６０及び第２回転軸６４をつなぐリンク６８を備えており、防水扉２が、第１回転軸６０の周りで所定回転角度だけ回転するとリンク６８に接触し、第１回転軸６０の周りでの所定回転角度を超える回転を規制する突板７０を含むものとされている。
【００３０】
よって、ヒンジ機構１０を単リンク式のものとすることができ、複リンク式のものに比べて構造をシンプルにすることができて、製造コストは勿論、故障の発生率の低減や修理の容易化等によりメンテナンスコストを低減することができる。しかも、第１の回転から第２の回転に移行させることで、ケース４や扉枠８に対する干渉防止動作や押付け動作等の防水扉の適切な動作を実現することができる。そして、リンクの大きさ・形状や突板７０の突出度合等の調整により、第１の回転から第２の回転に移行する第１所定回転角度を調整することができ、仕様変更や起立補助機構との同調を簡単且つ正確に行うことが可能である。
【００３１】
又、防水扉２の起立角度が倒伏位置から第１所定回転角度までの範囲である場合に、防水扉２が第１回転軸６０の周りで回転され、防水扉２の起立角度が第１所定回転角度から起立位置までの範囲である場合に、防水扉２が第２回転軸６４の周りで回転され、又リンク６８を側面視Ｌ字状としている。従って、より一層低コスト化しながら適切な動作を可能とし、しかも設計を更に容易にすることができる。
【符号の説明】
【００３２】
１    防水扉装置
２    防水扉
４    ケース
６０    第１回転軸
６４    第２回転軸
６８    リンク
７０    突板（回転規制部）
【図１】
0005942332.tif 000002
【図２】
0005942332.tif 000003
【図３】
0005942332.tif 000004
【図４】
0005942332.tif 000005
【図５】
0005942332.tif 000006